(57)【要約】 【課題】什器に沿って配置された一のパネル部材により、什器の側面の閉塞される割合、什器の側面の開放される割合を変更可能な什器システムを提供する。【解決手段】什器システム１０は、長パネル部２１２が什器１００の側面に沿って配置されるとともに、短パネル部２１３が什器１００の背面に沿って配置される第一態様と、長パネル部２１２が什器１００の背面に沿って配置されるとともに、短パネル部２１３が什器１００の側面に沿って配置される第二態様との間で、什器１００に対する屈曲パネル部材２１１の配置位置が選択可能であることを特徴とする。【選択図】図１
2015085107.tif 000002
【特許請求の範囲】
【請求項１】
平面状に形成された長パネル部、及び該長パネル部の端部から屈曲して延び、幅寸法が前記長パネル部の幅寸法よりも短く、該長パネル部と一体として平面状に形成された短パネル部を有する屈曲パネル部材と、
該屈曲パネル部材に沿って設けられる什器と、を備え、
前記長パネル部が前記什器の側面に沿って配置されるとともに、前記短パネル部が前記什器の背面に沿って配置される第一態様と、
前記長パネル部が前記什器の背面に沿って配置されるとともに、前記短パネル部が前記什器の側面に沿って配置される第二態様との間で、前記什器に対する前記屈曲パネル部材の配置位置が選択可能であることを特徴とする什器システム。
【請求項２】
前記長パネル部の幅寸法が、前記什器の前記側面の長さ同一であることを特徴とする請求項１に記載の什器システム。
【請求項３】
前記短パネル部の幅寸法が、前記什器の前記側面の長さの半分であることを特徴とする請求項１または請求項２に記載の什器システム。
【請求項４】
平面状に形成された平面パネル部材を備え、
前記屈曲パネル部材は、対をなし、
前記第一態様では、
対をなす前記屈曲パネル部材の長パネル部が、前記什器の両側面にそれぞれ配置され、
前記平面パネル部材が、前記屈曲パネル部材の前記短パネル部同士の間に隣接配置されていることを特徴とする請求項１から請求項３のいずれか一項に記載の什器システム。
【請求項５】
前記屈曲パネル部材は、対をなし、
前記第二態様では、
対をなす前記屈曲パネル部材の短パネル部が、前記什器の両側面にそれぞれが配置され、
前記長パネル部の端部同士が隣接配置されていることを特徴とする請求項１から請求項４のいずれか一項に記載の什器システム。
【請求項６】
前記長パネル部と前記短パネル部とが交差する交差部は、湾曲形状をなしていることを特徴とする請求項１から請求項５のいずれか一項に記載の什器システム。
【請求項７】
前記屈曲パネル部材と前記什器とが連結部材を介して連結されていることを特徴とする請求項１から請求項６のいずれか一項に記載の什器システム。
【請求項８】
前記什器は、ソファーであることを特徴とする請求項１から請求項７のいずれか一項に記載の什器システム。
【発明の詳細な説明】
【技術分野】
【０００１】
本発明は、什器システムに関するものである。
【背景技術】
【０００２】
オフィスや公共施設、商業施設等の空間においては、施設内に形成された大空間の一部を小空間に区画することによって、空間利用における自由度を高めることが求められている。そこで、空間内に、パネル部材（パーティション）を設けることが広く行われている。パネル部材を設けることにより周囲からの視線や音をある程度遮ることができる。このパネル部材により空間の一部を仕切り、各執務者の固有スペースを設けたり、打合わせ等のためのスペースを設けることができる。
【０００３】
このようなパネル部材として、芯材と、芯材の表面に設けられた表皮材と、これら芯材および表皮材の外周部に沿って設けられるフレームと、を備えているものが提案されている（下記特許文献１参照）。
【０００４】
また、ソファー等の什器の背面や側面に沿ってパネル部材を配置することで、ソファーの利用者の固有スペースを確保することができる。この場合には、ソファーの側面に配置するパネル部材の幅寸法（ソファーの側面に沿う方向の長さ）を長くすると、側方からの他人の視線を大きく遮断して閉塞感のある（換言すると開放感の小さい）スペースを利用者に提供することができる。一方、ソファーの側面に配置するパネル部材の幅寸法を短くすると、側方に開放した開放感のある（換言すると閉塞感の小さい）スペースを利用者に提供することができる。このように、利用態様に応じて閉塞感や開放感のあるスペースを選択して提供することが望まれていた。
【先行技術文献】
【特許文献】
【０００５】
【特許文献１】特許第３０００２５２号公報
【発明の概要】
【発明が解決しようとする課題】
【０００６】
ここで、特許文献１に記載のパネル部材をソファーの側面に沿って配置する場合には、パネル部材の幅寸法が一サイズのみであれば、おのずとソファーの側面に沿って配置されるパネル部材の長さが一サイズとなり、一の閉塞感（開放感）を提供することしかできない。よって、多様な閉塞感の提供するためには、幅寸法の異なる複数のパネル部材を用意しておく必要があり、部品点数が多くなるという問題点がある。
【０００７】
本発明は、上記事情に鑑みてなされたものであり、什器に沿って配置された一のパネル部材により、什器の側面の閉塞される割合、什器の側面の開放される割合を変更可能な什器システムを提供するものである。
【課題を解決するための手段】
【０００８】
上記目的を達成するために、本発明は以下の手段を採用している。
すなわち、本発明に係る什器システムは、平面状に形成された長パネル部、及び該長パネル部の端部から屈曲して延び、幅寸法が前記長パネル部の幅寸法よりも短く、該長パネル部と一体として平面状に形成された短パネル部を有する屈曲パネル部材と、該屈曲パネル部材に沿って設けられる什器と、を備え、前記長パネル部が前記什器の側面に沿って配置されるとともに、前記短パネル部が前記什器の背面に沿って配置される第一態様と、
前記長パネル部が前記什器の背面に沿って配置されるとともに、前記短パネル部が前記什器の側面に沿って配置される第二態様との間で、前記什器に対する前記屈曲パネル部材の配置位置が選択可能であることを特徴とする。
【０００９】
このように構成された什器システムでは、第一態様では、屈曲パネル部材の長パネル部が什器の側面に沿って配置されるため、什器の側面が屈曲パネル部材により大きく閉塞される。一方、第二態様では、屈曲パネル部材の短パネル部が什器の側面に沿って配置されるため、什器の側面の屈曲パネル部材により閉塞される割合を第一態様よりも小さくして、什器の側面が大きく開放される。よって、什器に沿って配置された一の屈曲パネル部材により、什器の側面の閉塞される割合、什器の側面の開放される割合を変更可能とすることができる。
【００１０】
また、本発明に係る什器システムは、前記長パネル部の幅寸法が、前記什器の前記側面の長さ同一であることが好ましい。
【００１１】
このように構成された什器システムでは、第一態様において、什器の前面の位置と屈曲パネル部材の長パネル部の端面の位置を揃えることができるため、什器と屈曲パネル部材との納まりを良好とすることができる。
【００１２】
また、本発明に係る什器システムは、前記短パネル部の幅寸法が、前記什器の前記側面の長さの半分であってもよい。
【００１３】
このように構成された什器システムでは、第二態様において、什器の側面の背面側の半分の部分が、屈曲パネル部材の短パネル部で覆われる。よって、側面視で、屈曲パネルの短パネル部の長さと、短パネル部に隣接して見える什器の長さとが同じため、バランスの良い外観とすることができる。
【００１４】
また、本発明に係る什器システムは、平面状に形成された平面パネル部材を備え、前記屈曲パネル部材は、対をなし、前記第一態様では、対をなす前記屈曲パネル部材の長パネル部が、前記什器の両側面にそれぞれ配置され、前記平面パネル部材が、前記屈曲パネル部材の前記短パネル部同士の間に隣接配置されていてもよい。
【００１５】
このように構成された什器システムでは、什器の幅寸法が屈曲パネル部材の短パネル部の幅寸法の２倍よりも長い場合でも、一対の屈曲パネル部材の短パネル部の間に平面パネル部材を配置することで、什器の背面全体を屈曲パネル部材及び平面パネル部材で覆うことができる。
【００１６】
また、本発明に係る什器システムは、前記屈曲パネル部材は、対をなし、前記第二態様では、対をなす前記屈曲パネル部材の短パネル部が、前記什器の両側面にそれぞれが配置され、前記長パネル部の端部同士が隣接配置されていてもよい。
【００１７】
このように構成された什器システムでは、什器の両側面をそれぞれ屈曲パネル部材の短パネル部で覆うとともに、什器の背面全体を一対の屈曲パネル部材の長パネル部で覆うことができる。
【００１８】
また、本発明に係る什器システムは、前記長パネル部と前記短パネル部とが交差する交差部は、湾曲形状をなしていてもよい。
【００１９】
このように構成された什器システムでは、長パネル部と短パネル部との交差部は湾曲形状をなしているため、屈曲パネル部材の外観を柔らかいテイストとすることができる。よって、屈曲パネル部材のデザイン性を高めることができる。
【００２０】
また、本発明に係る什器システムは、前記屈曲パネル部材と前記什器とが連結部材を介して連結されていてもよい。
【００２１】
このように構成された什器システムでは、屈曲パネル部材と什器とが互いに連結部材で連結されているため、屈曲パネル部材に作用する荷重を連結部材を介して什器で負担することができるとともに、什器に作用する荷重を連結部材を介して屈曲パネル部材で負担することができる。よって、什器システム全体として強固な構成とすることができる。
【００２２】
また、本発明に係る什器システムは、前記什器は、ソファーであってもよい。
【００２３】
このように構成された什器システムでは、第一態様では、屈曲パネル部材の長パネル部がソファーの側面に沿って配置されるため、ソファーの側面が屈曲パネル部材により大きく閉塞される。一方、第二態様では、屈曲パネル部材の短パネル部がソファーの側面に沿って配置されるため、ソファーの側面の屈曲パネル部材により閉塞される割合を第一態様よりも小さくして、ソファーの側面が大きく開放される。よって、ソファーに沿って配置された一の屈曲パネル部材により、ソファーの側面の閉塞される割合、ソファーの側面の開放される割合を変更可能とすることができる。
【発明の効果】
【００２４】
本発明に係る什器システムによれば、什器に沿って配置された一のパネル部材により、什器の側面の閉塞される割合、什器の側面の開放される割合を変更することができる。
【図面の簡単な説明】
【００２５】
【図１】本発明の実施形態に係る什器システムの第一態様を示す模式的な平面図である。
【図２】本発明の実施形態に係る什器システムの第二態様を示す模式的な平面図である。
【図３】本発明の実施形態に係る什器システムの第一態様を示す斜視図である。
【図４】本発明の実施形態に係る什器システムを構成する平面パネル部材の構成を示す斜視展開図である。
【図５】本発明の実施形態に係る什器システムを構成する平面パネル部材の板厚方向中間部における半断面図である。
【図６】本発明の実施形態に係る什器システムを構成する平面パネル部材の端部を示す上面図である。
【図７】本発明の実施形態に係る什器システムを構成する平面パネル部材の直線部の構造を示す断面図である。
【図８】本発明の実施形態に係る什器システムを構成する平面パネル部材のコーナー部の構造を示す断面図である。
【図９】本発明の実施形態に係る什器システムを構成するパネル基材の表面に沿って設けられたクッション材を示す断面図であり、（ａ）は表皮材を非装着の状態におけるクッション材の断面図、（ｂ）は表皮材を装着した状態におけるクッション材の断面図である。
【図１０】本発明の実施形態に係る什器システムを構成する平面パネル部材の下部の角部に設けられた支持脚体、および平面パネル部材どうしの下部における連結構造の一例を示す斜視図である。
【図１１】本発明の実施形態に係る什器システムを構成する平面パネル部材どうしの下部における連結構造を示す断面図である。
【図１２】本発明の実施形態に係る什器システムを構成する平面パネル部材どうしの上部における連結構造の一例を示す斜視図である。
【図１３】本発明の実施形態に係る什器システムを構成する平面パネル部材の同士の連結部分の構造を示す断面図である。
【図１４】本発明の実施形態に係る什器システムを構成するソファーと屈曲パネル部材との連結部分の構造を示す側面図である。
【図１５】図１４の要部の拡大図である。
【図１６】本発明の実施形態に係る什器システムを構成するソファーと屈曲パネル部材との連結部分の構造を示す断面図である。
【図１７】本発明の実施形態に係る什器システムを構成するソファーと屈曲パネル部材とを連結する連結部材の斜視図である。
【図１８】図１４の要部の拡大図である。
【図１９】本発明の実施形態に係る什器システムを構成するソファーと屈曲パネル部材とを連結する他の連結部材の斜視図である。
【図２０】本発明の実施形態に係る什器システムの第二態様の別例を示す模式的な平面図である。
【図２１】本発明の実施形態に係る什器システムの第一態様の別例を示す模式的な平面図である。
【発明を実施するための形態】
【００２６】
以下、本発明の実施形態について説明する。
図１は、本実施形態に係る什器システムの第一態様を示す模式的な平面図である。図２は、什器システムの第二態様を示す模式的な平面図である。図３は、什器システムの第一態様を示す斜視図である。
図１から図３に示すように、本実施形態の什器システム１０は、什器の一例としてのソファー１００と、ソファー１００に沿って配置される平面状に形成された平面パネル部材１１および一部が湾曲形状をなす屈曲パネル部材２１１と、を備えている。この什器システム１０は、オフィスや公共施設等における空間に配置され、平面パネル部材１１および屈曲パネル部材２１１により空間をソファーに沿った小空間が他の空間と区分されている。
【００２７】
（ソファー）
ソファー１００は、床面から上方に向かって延びる4本の脚部１０１,１０１…と、これら脚部１０１,１０１…に支持された座部１０２と、座部１０２よりも上方に延びる背凭れ部１０３とを有している。
【００２８】
脚部１０１は、ソファー１００の奥行方向および幅方向に間隔を有して４本設けられている。これら脚部１０１の上端は、座部１０２の下面に取り付けられている。この座部１０２の上面は、利用者が着座可能な座面とされている。
【００２９】
この座部１０２は、幅方向に長い平面視略矩形状をなしている。座部１０２の後部の左右両側は、湾曲に形成されている。
【００３０】
図１、図２に示すように、本実施形態では、このソファー１００の側面の長さＬ１（奥行方向の寸法）は、７００ｍｍである。ソファー１００の幅寸法Ｌ２は、１４００ｍｍである。このように、ソファー１００の幅寸法Ｌ２は、側面の長さＬ１の２倍になっている。
【００３１】
（平面パネル部材）
図３に示すように、平面パネル部材１１は、パネル基材１２と、パネル基材１２の両面に沿って設けられたクッション材１３と、パネル基材１２およびクッション材１３を覆う表皮材１４と、固定部材３０と、を備えている。
【００３２】
（パネル基材）
図４に示すように、パネル基材１２は、パネル状の芯材１５と、芯材１５の外周部に沿って設けられたフレーム２０と、芯材１５およびフレーム２０の両面を覆うように設けられたベースシート１８と、を備えている。
【００３３】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば孔１５ｈが断面を六角形状として複数千鳥状に組み合わされたハニカム構造とされている。
【００３４】
（フレーム）
図４、図５に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、平面パネル部材１１の幅方向両側に設けられている。枠材２１Ｃ，２１Ｄは、枠材２１Ａ，２１Ｂに直交して横方向に延在し、平面パネル部材１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００３５】
図６〜図８に示すように、各枠材２１Ａ，２１Ｂ，２１Ｃ，２１Ｄは、フレーム２０の内周側の芯材１５の外周端面１５ａに対向する基部２１ｅと、基部２１ｅの幅方向両側からそれぞれフレーム２０の外周側に向けて立ち上がる側壁部２１ｆと、からなる、断面略Ｕ字状に形成されている。これにより、基部２１ｅと、両側の側壁部２１ｆ，２１ｆとに囲まれた部分は、溝２５とされている。
このようにして、パネル基材１２は、その外周端部に沿って連続し、パネル基材１２の内方に向けて凹んだ溝２５を有している。
【００３６】
ここで、図５に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、これら第一プレート部２２ａおよび第二プレート部２２ｂに沿ってＬ字状のブラケット２２の屈曲方向内側に設けられたリブ部２２ｃとが一体に形成されている。
リブ部２２ｃは、第一プレート部２２ａおよび第二プレート部２２ｂから、第一プレート部２２ａおよび第二プレート部２２ｂに直交して、平面パネル部材１１の内周側に向けて突出形成されている。このリブ部２２ｃは、第一プレート部２２ａおよび第二プレート部２２ｂの幅方向両側、つまり、平面パネル部材１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００３７】
図７、図８に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００３８】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００３９】
図９は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図４に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００４０】
図７、図９に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図９（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００４１】
（表皮材）
図７、図９に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、平面パネル部材１１の表面には、複数の長円形状の凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３およびパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
【００４２】
また、図７、図８に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、平面パネル部材１１は、外周端部１１ｓに向かうにしたがって、その厚みが漸次小さくするように形成されている。また、平面パネル部材１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
【００４３】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００４４】
ここで、図４に示すように、固定部材３０は、矩形状のパネル基材１２の外周部の直線部分１２Ｓに配置される直線部固定部材３０Ｓと、矩形状のパネル基材１２の外周部のコーナー部１２Ｃに配置されるコーナー部固定部材３０Ｃと、を備えている。
【００４５】
図７に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００４６】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の基部２１ｅに突き当たるよう形成されている。
【００４７】
連結プレート部３２は、側部プレート部３１，３１の先端部３１ａ，３１ａよりも、溝２５の基部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の基部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。
【００４８】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００４９】
さらに、側部プレート部３１，３１において、連結プレート部３２よりも溝２５の基部２１ｅから離間する側には、側部プレート部３１，３１から内方に向けて突出する突条３４，３４が形成されている。そして、これら突条３４，３４と、側部プレート部３１，３１と、連結プレート部３２とに囲まれて、オプション部材等を装着するための保持溝３５が形成されている。
【００５０】
図５に示すように、平面パネル部材１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。
【００５１】
図８に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００５２】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の基部２１ｅに突き当たるよう形成されている。
ここで、側部プレート部３６，３６において、溝２５の側壁部２１ｆ，２１ｆに対向する側に、凸部３６ｔ，３６ｔが形成されている。この凸部３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００５３】
連結プレート部３７は、側部プレート部３６，３６の先端部３６ａ，３６ａよりも、溝２５の基部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の基部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の基部２１ｅに突き当たって部分よりも先端部分（不図示）を収容できる収容空間として機能する。なおここで、連結プレート部３７は、直線部固定部材３０Ｓにおける連結プレート部３２よりも基部２１ｅに近く、空間Ｓ２は、空間Ｓ１よりも小さく形成されている。
【００５４】
図５に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図８に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図５に示すように、第一直線状部４１Ａの下端部には、突起片４３が下方に向けて突出形成されている。この突起片４３が、直線部固定部材３０Ｓの上端部において、連結プレート部３２と突状３４との間の保持溝３５（図７参照）に挿入されている。
また、図５に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００５５】
（支持脚体）
図５に示すように、上記したような平面パネル部材１１の下部のコーナー部には、コーナー部固定部材３０Ｃとして、支持脚体５０が設けられている。この支持脚体５０は、床面に接地することで、平面パネル部材１１を床面上に立設させる。
支持脚体５０は、フレーム２０の下部端部の溝２５内に収容される下部支持部５１と、下部支持部５１の一端から上方に延び、フレーム２０の側部の下端部の溝２５内に収容される側部支持部５２と、下部支持部５１よりも下方に延びる支持脚部５３と、を一体に備えている。
【００５６】
下部支持部５１はフレーム２０の下端部の溝２５の底面を形成する基部２１ｅに突き当てて固定されている。また、側部支持部５２は、フレーム２０の側端部の溝２５の底面を形成する基部２１ｅに突き当てて固定されている。
下部支持部５１および側部支持部５２には、ボルト４８が挿通されるボルト挿通孔５４が形成されている。このボルト挿通孔５４に挿通されるボルト４８は、溝２５の基部２１ｅの所定の位置に形成された雌ネジ孔部２９にねじ込まれるようになっている。これにより、支持脚体５０が、平面パネル部材１１に固定される。
【００５７】
支持脚部５３は、下部支持部５１よりも下方に延び、その下端部に、高さ調整ネジ４９がねじ込み可能とされている。
【００５８】
（屈曲パネル部材）
図３に示すように、屈曲パネル部材２１１は、平面パネル部材１１と同様に、パネル基材１２と、クッション材１３と、表皮材１４と、固定部材３０と、を備えている。屈曲パネル部材２１１は、幅方向の一部が湾曲形成されてものである。
【００５９】
図１、図２に示すように、屈曲パネル部材２１１は、平面状に形成された長パネル部２１２と、長パネル部２１２の端部から屈曲して延び、幅寸法Ｈ２が長パネル部２１２の幅寸法Ｈ１よりも短く、平面状に形成された短パネル部２１３とで形成されている。この長パネル部２１２と短パネル部２１３とは一体として形成され、全体として断面視略Ｌ字状をなしている。
【００６０】
また、屈曲パネル部材２１１の長パネル部２１２と短パネル部２１３との交差する交差部は、湾曲形状をなしている。
【００６１】
本実施形態では、屈曲パネル部材２１１の長パネル部２１２の幅寸法Ｈ１（長パネル部２１２の端部から短パネル部２１３の内面までの長さ）は、７００ｍｍである。また、屈曲パネル部材２１１の短パネル部２１３の幅寸法Ｈ２（短パネル部２１３の端部から長パネル部２１２の内面までの長さ）は、本実施形態では３５０ｍｍである。
【００６２】
つまり、長パネル部２１２の幅寸法Ｈ１は、ソファー１００の側面の長さＬ１と同一である。短パネル部２１３の幅寸法Ｈ２は、ソファー１００の側面の長さＬ１の半分である。
【００６３】
次に、上記のように構成されたソファー１００、平面パネル部材１１、屈曲パネル部材２１１における各部材どうしの連結構造について説明する。
【００６４】
（平面パネル部材どうしの連結構造）
まず、平面パネル部材１１，１１どうしの連結構造について説明する。
図１０は、平面パネル部材１１の下部の角部に設けられた支持脚体５０、および平面パネル部材１１，１１どうしの下部における連結構造の一例を示す斜視図である。図１１は、平面パネル部材１１，１１どうしの下部における連結構造を示す断面図である。
図１０、図１１に示すように、支持脚体５０には、隣接して配置される他の平面パネル部材１１と連結するための下部連結部材５５の一端が係止可能とされている。このため、支持脚体５０には、下部支持部５１よりも下方に膨出した膨出部５６が一体に形成されている。
【００６５】
そして、この膨出部５６には、平面パネル部材１１の厚さ方向に沿った支持脚体５０の中間部に、プレート状の下部連結部材５５の一端が挿入可能なスリット５７が形成されている。スリット５７は、膨出部５６において他方の平面パネル部材１１に隣接する側の側面５６ａおよび下面５６ｂに開口している。
図１１に示すように、スリット５７の上部には、後述する下部連結部材５５の突起部５８Ａが挿入される挿入凹部５７ａが、上方に向けて凹んで形成されている。そして、スリット５７の上部において、膨出部５６の側面５６ａ側には、挿入凹部５７ａに隣接して、下方に向けて突出する突起部５７ｂが形成されている。
【００６６】
また、膨出部５６には、スリット５７内に挿入された下部連結部材５５を係止するための、係止孔５６ｈが、平面パネル部材１１の厚さ方向に沿って貫通形成されている。
【００６７】
下部連結部材５５は、両端部にそれぞれ貫通孔５５ｈが形成されている。また、下部連結部材５５の両端部には、それぞれ、上方に向けて突出する突起部５８Ａが形成されている。また、下部連結部材５５には、両端部の突起部５８Ａ，５８Ａの間に、上方に向けて突出する中央突起部５８Ｂが形成されている。そして、中央突起部５８Ｂと、その両側の突起部５８Ａとの間には、下方に向けて凹となる係合凹部５８Ｃが形成されている。
【００６８】
突起部５７ｂおよび係合凹部５８Ｃは、膨出部５６の側面５６ａ側、中央突起部５８Ｂ側が、上下方向に延在する鉛直面５７ｆ、５８ｆとされ、その反対側が、上方に行くにしたがい鉛直面５７ｆ、５８ｆから離間する傾斜面５７ｇ、５８ｇとされている。これにより、突起部５７ｂおよび係合凹部５８Ｃは、いずれも下方に行くにしたがいその幅寸法が漸次小さくなるテーパ状をなしている。
この係合凹部５８Ｃに、スリット５７の突起部５７ｂが嵌め込まれることで、下部連結部材５５と支持脚体５０とを、平面パネル部材１１，１１が隣り合う方向において、容易に位置決めできるようになっている。
【００６９】
互いに隣接する平面パネル部材１１，１１どうしを連結するには、貫通孔５５ｈが形成された下部連結部材５５の両端部を、支持脚体５０のスリット５７に挿入する。下部連結部材５５の両端部の係合凹部５８Ｃに、それぞれ、両側の平面パネル部材１１に設けられた支持脚体５０の突起部５７ｂを嵌め込む。ここで、突起部５７ｂおよび係合凹部５８Ｃは、いずれも下方に行くにしたがいその幅寸法が漸次小さくなるテーパ状をなしている。したがって、係合凹部５８Ｃに突起部５７ｂが挿入されることで、下部連結部材５５と支持脚体５０とが、平面パネル部材１１，１１が隣り合う方向において互いに位置決めされる。これにより、下部連結部材５５に形成された両端部の貫通孔５５ｈと、支持脚体５０の係止孔５６ｈとが連通する。そこで、これら貫通孔５５ｈおよび係止孔５６ｈに連結ボルト５９を挿通・締結させる。これにより、下部連結部材５５によって、平面パネル部材１１，１１どうしが下端部で連結される。
【００７０】
図１２は、平面パネル部材１１，１１どうしの上部における連結構造の一例を示す斜視図である。
図１２に示すように、互いに隣接する平面パネル部材１１，１１どうしは、それぞれの上端部どうしを、上部連結部材６１によって連結することができる。
この上部連結部材６１は、コーナーキャップ４０に代えて、コーナー部固定部材３０Ｃに取り付けられる。上部連結部材６１の両端部６１ａ，６１ａには、には、ボルト挿通孔６２が形成されている。
また、上部連結部材６１の中間部６１ｂの下面側には、互いに隣接する平面パネル部材１１，１１の上部に配置されたコーナー部固定部材３０Ｃ．３０Ｃの間隔を規制する間隔規制部６３が下方に向けて突出形成されている。間隔規制部６３が、互いに隣接する平面パネル部材１１，１１の上部に配置されたコーナー部固定部材３０Ｃ．３０Ｃの間に挿入されることで、平面パネル部材１１，１１どうしの間隔を規制することができる。
このような上部連結部材６１によって、互いに隣接する平面パネル部材１１，１１の上端部どうしを連結するには、以下のようにする。
まず、上部連結部材６１を、互いに隣接する平面パネル部材１１，１１の上部に配置されたコーナー部固定部材３０Ｃ．３０Ｃ上に載せる。このとき、上部連結部材６１の両端部６１ａ，６１ａの下面が、コーナー部固定部材３０Ｃの第二直線状部３８Ｂに対し、側部プレート部３６，３６との間に挿入され、連結プレート部３７に突き当てられている。そして、間隔規制部６３が、互いに隣接する平面パネル部材１１，１１の上部に配置されたコーナー部固定部材３０Ｃ．３０Ｃの間に挿入されることで、平面パネル部材１１，１１どうしの間隔を規制することができる。より具体的には、間隔規制部６３の両側面６３ａ，６３ａに、コーナー部固定部材３０Ｃの第一直線状部３８Ａの連結プレート部３７に突き当てることで、平面パネル部材１１，１１どうしの間隔を適正に位置決めできる。この状態で、ボルト挿通孔６２に挿通させたボルト６４により、上部連結部材６１と、コーナー部固定部材３０Ｃ、枠材２１Ｃ（図５参照）、ブラケット２２の第二プレート部２２ｂ（図５参照）を一体に締結する。これによって、互いに隣接する平面パネル部材１１，１１の上端部どうしが連結される。
【００７１】
図１３は、平面パネル部材１１，１１の同士の連結部分の構造を示す断面図である。
図１３に示すように、上記のように平面パネル部材１１，１１どうしが、下部連結部材５５（図１０参照）および上部連結部材６１（図１２参照）を介して連結された状態で、平面パネル部材１１の端部、つまり平面パネル部材１１の表面の表皮材１４どうしが当接している。一方で、固定部材３０Ｓの側部プレート部３１の端部同士は、互いに離間して配置されている。
【００７２】
なお、平面パネル部材１１，１１どうしの連結を解除する際には、下部連結部材５５と支持脚体５０，５０とを連結している連結ボルト５９を緩め、下部連結部材５５を支持脚体５０のスリット５７から取り外す。また、平面パネル部材１１，１１の上部と上部連結部材６１とを連結しているボルト６４を緩め、上部連結部材６１を平面パネル部材１１から取り外せばよい。
屈曲パネル部材２１１，２１１どうしの連結構造は、上記に示す平面パネル部材１１，１１どうしの連結構造と同様であるため、説明を省略する。
【００７３】
（ソファーと屈曲パネル部材との連結構造）
次に、ソファー１００と屈曲パネル部材２１１との連結構造について説明する。
図１４は、ソファー１００と屈曲パネル部材２１１との連結部分の構造を示す側面図である。図１５は、図１４の要部の拡大図である。図１６は、ソファー１００と屈曲パネル部材２１１との連結部分の構造を示す断面図である。図１７は、ソファー１００と屈曲パネル部材２１１とを連結する什器上連結部材７１の斜視図である。
【００７４】
図１４から図１７に示すように、ソファー１００の上部と屈曲パネル部材２１１の上部とは什器上連結部材（連結部材）７１を介して連結されている。
【００７５】
什器上連結部材７１は、屈曲パネル部材２１１の幅方向端部に取り付けられる係止部７２と、係止部７２の端部から屈曲しパネル基材１２の溝２５に設けられた直線部固定部材３０Ｓの側部プレート部３１に沿って延びる側壁部７３とを有している。什器上連結部材７１は、側壁部７３の端部から屈曲し屈曲パネル部材２１１の外周端部１３ｓに沿って延びる外壁部７４と、外壁部７４の端部から屈曲し屈曲パネル部材２１１の表皮材１４に沿って配置される挟持壁部７５とを有している。什器上連結部材７１は、ソファー１００の背凭れ部１０３の上端に沿って配置される上壁部７６と、上壁部７６の端部から背凭れ部１０３の前面に沿って配置される前壁部７７とを有している。
【００７６】
什器上連結部材７１の係止部７２には、貫通孔７２Ａが形成されている。この貫通孔７２Ａから挿通されたボルト７９が、屈曲パネル部材２１１の枠材２１Ａ（又は枠材２１Ｂ）に固定された直線部固定部材３０Ｓの保持溝３５内に設けられ雌ねじが形成されたベース部７８に螺合されている。このように什器上連結部材７１が屈曲パネル部材２１１に取り付けられた状態で、ソファー１００の背凭れ部１０３の上部は、什器上連結部材７１の挟持壁部７５と前壁部７７とで挟持される。
【００７７】
このとき、屈曲パネル部材２１１における什器上連結部材７１の外壁部７４が配置される側のクッション部材１３Ｐは、外壁部７４に押圧されている。これにより、什器上連結部材７１が配置される側のクッション部材１３Ｐの幅寸法は、什器上連結部材７１が配置されない側のクッション部材１３Ｑの幅寸法よりも短くなる。また、クッション部材１３Ｑの端部と、クッション部材１３Ｐに沿って配置された什器上連結部材７１の外壁部７４の端面とは、面一とされている。
【００７８】
図１８は、図１４の要部の拡大図である。図１９は、ソファー１００と屈曲パネル部材２１１とのを連結する什器下連結部材８１の斜視図である。
【００７９】
図１４，図１８、図１９に示すように、ソファー１００の上部と屈曲パネル部材２１１の下部とは什器下連結部材（連結部材）８１を介して連結されている。
【００８０】
什器下連結部材８１は、図示しないボルトによりソファー１００の座部１０２の下面に取り付けられる支持壁部８２と、支持壁部８２の端部から下方に向かって屈曲形成された屈曲壁部８３とを有している。什器下連結部材８１は、屈曲壁部８３の端部から屈曲し屈曲パネル部材２１１の表皮材１４に沿って配置される上下壁部８４と、上下壁部８４の下端から屈曲し屈曲パネル部材２１１側に向かって伸びる下壁部８５と、下壁部８５の端部から上方に向かって延び屈曲パネル部材２１１の下端に取り付けられる係止部８６とを有している。この係止部８６と下壁部８５とは、ボルト８９にて螺合されることで一体とされている。
【００８１】
什器下連結部材８１の係止部８６は、屈曲パネル部材２１１の枠材２１Ａ（又は枠材２１Ｂ）に固定された直線部固定部材３０Ｓの側部プレート部３１に形成された突条３４，３４により係止されている。
【００８２】
このように、屈曲パネル部材２１１は、什器上連結部材７１および什器下連結部材８１を介して、ソファー１００の背面に沿った状態が維持されている。
【００８３】
なお、屈曲パネル部材２１１をソファー１００から取り外す際には、什器上連結部材７１の屈曲パネル部材２１１のベース部７８に螺合されたボルト７９を緩め、上壁部７６および前壁部７７をソファー１００の背凭れ部１０３から取り外す。さらに、什器下連結部材８１の係止部８６と屈曲パネル部材２１１の突条３４，３４との係止を解除すればよい。
ソファー１００と平面パネル部材１１との連結構造は、上記に示すソファー１００と屈曲パネル部材２１１との連結構造と同様であるため、説明を省略する。
【００８４】
上記のように構成された平面パネル部材１１および屈曲パネル部材２１１がソファー１００に沿って配置されるにあたり、相互の配置位置関係を、第一配置パターン（第一態様）、第二配置パターン（第二態様）、第三配置パターン（第二態様）および第四配置パターン（第一態様）で変更可能とされている。
【００８５】
（第一配置パターン）
まず、第一配置パターンについて説明する。
図１に示すように、第一配置パターンでは、ソファー１００Ａ（１００）に沿って、２枚の屈曲パネル部材２１１Ａ，２１１Ｂ（２１１）および平面パネル部材１１が配置されている。
【００８６】
屈曲パネル部材２１１Ａでは、長パネル部２１２がソファー１００Ａの左側面に沿って配置され、短パネル部２１３がソファー１００Ａの後面の左側に沿って配置されている。一方、屈曲パネル部材２１１Ｂでは、長パネル部２１２がソファー１００Ａに右側面に沿って配置され、短パネル部２１３がソファー１００Ａの後面の右側に沿って配置されている。
【００８７】
これら屈曲パネル部材２１１Ａ，２１１Ｂの短パネル部２１３，２１３同士の間には、平面パネル部材１１が隣接配置されている。この平面パネル部材１１の左端は屈曲パネル部材２１１Ａの短パネル部２１３の端部と当接し、平面パネル部材１１の右端は屈曲パネル部材２１１Ｂの短パネル部２１３の端部と当接している。
【００８８】
（第二配置パターン）
次に、第二配置パターンについて説明する。
図２に示すように、第二配置パターンでは、ソファー１００Ａに沿って２枚の屈曲パネル部材２１１Ａ，２１１Ｂが配置されている。
屈曲パネル部材２１１Ａでは、短パネル部２１３がソファー１００Ａに左側面に沿って配置され、長パネル部２１２がソファー１００Ａの後面の左側に沿って配置されている。屈曲パネル部材２１１Ｂでは、短パネル部２１３がソファー１００Ａに右側面に沿って配置され、長パネル部２１２がソファー１００Ａの後面の右側に沿って配置されている。これら屈曲パネル部材２１１Ａ，２１１Ｂの長パネル部２１２，２１２の端部同士は、互いに当接配置されている。
【００８９】
（第三配置パターン）
次に、第三配置パターンについて説明する。
図２０に示すように、第三配置パターンでは、第一配置パターンのソファー１００Ａよりも幅寸法の長いソファー１００Ｂに沿って２枚の屈曲パネル部材２１１Ａ，２１１Ｂおよび平面パネル部材１１が配置されている。
【００９０】
屈曲パネル部材２１１Ａでは、短パネル部２１３がソファー１００Ｂに左側面に沿って配置され、長パネル部２１２がソファー１００Ｂの後面の左側に沿って配置されている。屈曲パネル部材２１１Ｂでは、短パネル部２１３がソファー１００Ｂに右側面に沿って配置され、長パネル部２１２がソファー１００Ｂの後面の右側に沿って配置されている。これら屈曲パネル部材２１１Ａ，２１１Ｂの長パネル部２１２，２１２の端部同士は、互いに当接配置されている。
【００９１】
（第四配置パターン）
次に、第四配置パターンについて説明する。
図２１に示すように、第四配置パターンでは、ソファー１００Ｃに沿って２枚の屈曲パネル部材２１１Ａ，２１１Ｂが配置されている。このソファー１００Ｃは、ソファー１００Ｂの幅方向、奥行方向を逆にしたものであって、長手方向を奥行き方向として配置し、短手方向を幅方向として配置されたものである。
【００９２】
屈曲パネル部材２１１Ａでは、長パネル部２１２がソファー１００Ｃの左側面に沿って配置され、短パネル部２１３がソファー１００Ｃの後面の左側に沿って配置されている。一方、屈曲パネル部材２１１Ｂでは、長パネル部２１２がソファー１００Ｃに右側面に沿って配置され、短パネル部２１３がソファー１００Ｃの後面の右側に沿って配置されている。
【００９３】
このように構成された什器システム１０では、第一態様では、屈曲パネル部材２１１の長パネル部２１２がソファー１００の側面に沿って配置されるため、ソファー１００の側面が屈曲パネル部材２１１により大きく閉塞される。一方、第二態様では、屈曲パネル部材２１１の短パネル部２１３がソファー１００の側面に沿って配置されるため、ソファー１００の側面の屈曲パネル部材２１１により閉塞される割合を第一態様よりも小さくして、ソファー１００の側面が大きく開放される。よって、ソファー１００に沿って配置された一の屈曲パネル部材２１１により、ソファー１００の側面の閉塞される割合、ソファー１００の側面の開放される割合を変更可能とすることができる。
【００９４】
また、屈曲パネル部材２１１の長パネル部２１２の幅寸法Ｈ１はソファー１００の側面の長さＬ１と同一であるため、第一配置パターンにおいて、ソファー１００の前面の位置と屈曲パネル部材２１１の長パネル部２１２の端面の位置を揃えることができる。よって、ソファー１００と屈曲パネル部材２１１との納まりを良好とすることができる。
【００９５】
また、屈曲パネル部材２１１の短パネル部２１３の幅寸法Ｈ２は、ソファー１００の側面の長さＬ１の半分であるため、第二配置パターンにおいて、ソファー１００の側面の背面側の半分の部分が、屈曲パネル部材２１１の短パネル部２１３で覆われる。よって、側面視で、屈曲パネル部材２１１の短パネル部２１３の長さと、短パネル部２１３に隣接して見えるソファー１００の長さとが同じため、バランスの良い外観とすることができる。
【００９６】
また、ソファー１００の幅寸法が屈曲パネル部材２１１の短パネル部２１３の幅寸法の２倍よりも長い場合でも、一対の屈曲パネル部材２１１，２１１の短パネル部２１３，２１３の間に平面パネル部材１１を配置することで、ソファー１００の背面全体を屈曲パネル部材２１１，２１１および平面パネル部材１１で覆うことができる。
【００９７】
また、第三配置パターンに示すように、幅寸法の長いソファー１００Ｂにおいて、屈曲パネル２１１Ａ，２１１Ｂ間に平面パネル部材１１を配置することにより、ソファー１００Ｂの背面を覆いつつ、ソファー１００Ｂの側面の一部を閉塞することができる。
また、第四配置パターンでは、ソファー１００Ｃの長手方向一方側の端部に沿って屈曲パネル部材２１１Ａ，２１１Ｂを配置している。この場合には、例えば利用者が屈曲パネル部材２１１Ａ，２１１Ｂ側に頭を向けてソファー１００Ｃに横たわって利用することも可能である。
【００９８】
また、長パネル部２１２と短パネル部２１３との交差部は湾曲形状をなしているため、屈曲パネル部材２１１の外観を柔らかいテイストとすることができる。よって、屈曲パネル部材２１１のデザイン性を高めることができる。
【００９９】
また、屈曲パネル部材２１１とソファー１００とは、互いに什器上連結部材７１および什器下連結部材８１を介して連結されている。よって、屈曲パネル部材２１１に作用する荷重を什器上連結部材７１および什器下連結部材８１を介してソファー１００で負担することができるとともに、ソファー１００に作用する荷重を什器上連結部材７１および什器下連結部材８１を介して屈曲パネル部材２１１で負担することができる。よって、什器システム１０全体として強固な構成とすることができる。
【０１００】
また、屈曲パネル部材２１１の幅方向端部に什器上連結部材７１が取り付けられているため、外観上屈曲パネル部材２１１に対して目立たない。
【０１０１】
なお、上述した実施の形態において示した各構成部材の諸形状や組み合わせ等は一例であって、本発明の主旨から逸脱しない範囲において設計要求等に基づき種々変更可能である。
【０１０２】
例えば、上述した実施形態において、什器システム１０は平面パネル部材１１を有しているが、本発明はこれに限られず、屈曲パネル部材２１１および什器だけを備えたシステムであってもよい。
【０１０３】
また、上記に示す実施形態において、什器として、ソファーを一例に挙げて説明したが、デスク、テーブル、カウンター、棚、チェアにも適用可能である。
【０１０４】
また、屈曲パネル部材２１１，２１１間に平面パネル部材１１を配置する場合には、複数の平面パネル部材１１，１１を配置することも可能である。
【０１０５】
また、溝２５内で表皮材１４を固定する固定手段として、固定部材３０を例に挙げたが、表皮材１４を固定できるのであれば、他のいかなる構成としてもよい。例えば、固定部材３０の断面形状、構造等については、何ら限定するものではない。さらには、表皮材１４を、タッカーや接着等によって溝２５内に固定するようにしてもよい。
【０１０６】
また、上記実施形態では、平面パネル部材１１および屈曲パネル部材２１１に支持脚体５０を設けたが、ソファー１００が平面パネル部材１１および屈曲パネル部材２１１を支持可能であれば、支持脚体５０を設ける必要はない。
【符号の説明】
【０１０７】
１０…什器システム
７１…什器上連結部材
８１…什器下連結部材
１００，１００Ａ，１００Ｂ，１００Ｃ…什器
２１１，２１１Ａ，２１１Ｂ…屈曲パネル部材
２１２…長パネル部
２１３…短パネル部
Ｈ１，Ｈ２…幅寸法
Ｌ１…側面の長さ
【図１】
2015085107.tif 000003
【図２】
2015085107.tif 000004
【図３】
2015085107.tif 000005
【図４】
2015085107.tif 000006
【図５】
2015085107.tif 000007
【図６】
2015085107.tif 000008
【図７】
2015085107.tif 000009
【図８】
2015085107.tif 000010
【図９】
2015085107.tif 000011
【図１０】
2015085107.tif 000012
【図１１】
2015085107.tif 000013
【図１２】
2015085107.tif 000014
【図１３】
2015085107.tif 000015
【図１４】
2015085107.tif 000016
【図１５】
2015085107.tif 000017
【図１６】
2015085107.tif 000018
【図１７】
2015085107.tif 000019
【図１８】
2015085107.tif 000020
【図１９】
2015085107.tif 000021
【図２０】
2015085107.tif 000022
【図２１】
2015085107.tif 000023